(57)【特許請求の範囲】
【請求項１】
ユーザが実施すべき行動を示す行動情報、前記行動が栄養の摂取に関する行動であるか、若しくは運動に関する行動であるかを示す区分、又は、行動の場所、行動の頻度、若しくは行動の時間帯を示す区分に基づいた行動の属性を示す属性情報、及び前記行動の実施に対して想定する効果を示す効果情報を関連付けて複数組記憶する記憶部と、
該記憶部に行動情報が記憶されている行動のうちの１又は複数の行動をユーザが実施することによって得られた効果の情報を取得する取得部と、
該取得部が取得した効果の情報と前記ユーザが実施した行動の行動情報に関連付けて記憶してある効果情報とを比較し、前記ユーザが実施した行動により得られた効果が該行動について想定してある効果より小さい場合、該行動に代えて実施すべき行動を、前記記憶部に行動情報が記憶されている行動のうち、前記ユーザが実施した行動とは異なる行動であって、前記ユーザが実施した行動についての属性と同一の属性を有する行動を選択する選択部と、
該選択部が選択した行動の行動情報を提供する情報提供部と
を備えることを特徴とする情報提供装置。
【発明の詳細な説明】
【技術分野】
【０００１】
本発明は、ユーザが実施すべき行動の情報を提供する情報提供装置に関する。
【背景技術】
【０００２】
健康増進及び改善を目的として、所定のメニューに従って運動や食事制限を行う人は多い。例えば、健康指導を行う保健師は、対象者の健康状況に応じて、健康改善のためのメニューを提示する。そして、提示されたメニューを対象者が実行することにより、健康増進及び改善を図ることが行われている。
【０００３】
また、コンピュータが、健康に関するメニューを作成し、更新する技術が存在する（例えば、特許文献１を参照）。特許文献１では、ユーザのトレーニング状況に応じた無理のないトレーニングメニューをコンピュータにより処方する。このとき、コンピュータは、トレーニングメニューを実施した時間や負荷量に応じて、次のトレーニングメニューを作成する。
【先行技術文献】
【特許文献】
【０００４】
【特許文献１】特開平８−５２２４４号公報
【発明の概要】
【発明が解決しようとする課題】
【０００５】
しかしながら、ある目的のために、対象者が提示されたメニューを実行したとしても、体質的に合わない場合、生活習慣に合わない場合等があるため、必ずしも対象者にとって効果的でないこともある。
【０００６】
本願は、上記の課題を解決するため、同一の目的を達成する複数のメニュー（行動計画）から、対象者にとって効果的な可能性が高いメニューを抽出して、新たなメニューを提示する情報提供装置を提供することを目的とする。
【課題を解決するための手段】
【０００７】
本願に開示する情報提供装置は、ユーザが実施すべき行動を示す行動情報、前記行動が栄養の摂取に関する行動であるか、若しくは運動に関する行動であるかを示す区分、又は、行動の場所、行動の頻度、若しくは行動の時間帯を示す区分に基づいた行動の属性を示す属性情報、及び前記行動の実施に対して想定する効果を示す効果情報を関連付けて複数組記憶する記憶部と、該記憶部に行動情報が記憶されている行動のうちの１又は複数の行動をユーザが実施することによって得られた効果の情報を取得する取得部と、該取得部が取得した効果の情報と前記ユーザが実施した行動の行動情報に関連付けて記憶してある効果情報とを比較し、前記ユーザが実施した行動により得られた効果が該行動について想定してある効果より小さい場合、該行動に代えて実施すべき行動を、前記記憶部に行動情報が記憶されている行動のうち、前記ユーザが実施した行動とは異なる行動であって、前記ユーザが実施した行動についての属性と同一の属性を有する行動を選択する選択部と、該選択部が選択した行動の行動情報を提供する情報提供部とを備えることを特徴とする。
【発明の効果】
【０００８】
本願によれば、同一の目的を達成する複数のメニュー（行動計画）から、対象者にとって効果的な可能性が高いメニューを抽出して、新たなメニューを提示することができる。
【図面の簡単な説明】
【０００９】
【図１】本実施の形態に係る情報提供システムの全体構成を示す模式図である。
【図２】情報提供装置のハードウェア構成を示す模式図である。
【図３】情報提供装置の機能的構成を示す模式図である。
【図４】行動計画の作成手順の概略を示すフローチャートである。
【図５】生活習慣に関する質問の一例を示す図である。
【図６】栄養行動分類テーブルの一例を示す図である。
【図７】運動行動分類テーブルの一例を示す図である。
【図８】行動計画の区分を説明する説明図である。
【図９】行動区分テーブルの一例を示す図である。
【図１０】行動計画選定テーブルの一例を示す図である。
【図１１】行動計画の再設定処理の処理手順を説明するフローチャートである。
【図１２】効果テーブルの一例を示す図である。
【発明を実施するための形態】
【００１０】
以下、本発明をその実施の形態を示す図面に基づいて具体的に説明する。
図１は本実施の形態に係る情報提供システムの全体構成を示す模式図である。本実施の形態に係る情報提供システムは、インターネットなどの通信ネットワーク５を介して通信可能に接続された情報提供装置１０及び端末装置２０を備える。
【００１１】
情報提供装置１０は、例えば、健康指導や生活習慣指導を行う公的又は民間の保健機関、健康管理センタ、病院等により設置されるコンピュータ、サーバ等の情報処理装置である。情報提供装置１０は、ユーザから得られる生活習慣の情報を基に健康増進や健康改善のための行動計画を作成し、作成した行動計画の情報をユーザが使用する端末装置２０へ提供する。
【００１２】
端末装置２０は、パーソナルコンピュータ、携帯型情報端末などの装置であり、情報の入力を受付ける手段、通信ネットワーク５を介して情報を送受信する手段、情報を表示する手段等を備える。ユーザは、端末装置２０を利用して、情報提供装置１０から送信される生活習慣に関する質問に回答し、この回答を基に情報提供装置１０にて作成される行動計画の情報を取得する。ユーザは、取得した行動計画の情報に沿って健康増進及び改善のための行動を実施し、行動計画に対する自己評価、及び行動によって得られた効果の計測を適宜行う。ユーザは、自己評価の結果及び計測した効果を、端末装置２０を利用して情報提供装置１０に通知する。
【００１３】
情報提供装置１０は、ユーザによる自己評価の結果及び行動計画により得られた効果を基に行動計画の見直しを行う。そして、ユーザが行動計画に沿って行動を実施していると自覚しているにも関わらず、情報提供者側で予め想定していた効果が得られていない場合、情報提供装置１０は、効果が得られていない行動計画を、より効果が高く、変更前と同一の属性を有する行動計画に変更し、新たな行動計画として端末装置２０に提供する。
【００１４】
図２は情報提供装置１０のハードウェア構成を示す模式図である。情報提供装置１０は、ＣＰＵ１０１、ＲＯＭ１０２、ＲＡＭ１０３、通信インタフェース１０４、ハードディスクドライブ１０５、光ディスクドライブ１０６、キーボード１０７、及びディスプレイ１０８を備える。
【００１５】
ＲＯＭ１０２には、上述したハードウェア各部の動作を制御するために必要なコンピュータプログラムが予め格納されている。また、ハードディスク１０５Ｄには、本願の情報提供方法を実現するためのコンピュータプログラムが予め格納されている。
【００１６】
ＣＰＵ１０１は、適宜のタイミングでＲＯＭ１０２又はハードディスク１０５Ｄに格納されているコンピュータプログラムをＲＡＭ１０３上に読み出し、実行することにより、上述したハードウェア各部の動作を制御し、情報提供装置１０を本願の情報提供方法を実現する装置として動作させる。
【００１７】
ＲＡＭ１０３は、例えば、ＤＲＡＭ（Dynamic RAM）、ＳＲＡＭ（Static RAM）、フラッシュメモリなどであり、ＣＰＵ１０１によるコンピュータプログラムの実行時に発生する種々のデータ（例えば、演算結果、選択結果、各種パラメータ）を一時的に記憶する。
【００１８】
通信インタフェース１０４は、通信ネットワーク５を介して、ユーザの端末装置２０と通信を行う。
【００１９】
ハードディスクドライブ１０５は、ハードディスク１０５Ｄに対してデータの書き込み、及びハードディスク１０５Ｄからのデータの読み出しを制御する。ハードディスクドライブ１０５は、キーボード１０７を通じて受付けた情報、通信インタフェース１０４にて受信した情報、光ディスクドライブ１０６により光ディスク１０６Ｄから読み出された情報等をハードディスク１０５Ｄに書き込むことにより、ハードディスク１０５Ｄに各種情報を記憶させる。
【００２０】
光ディスクドライブ１０６は、光ディスク１０６Ｄに対してデータの書き込み、及び光ディスク１０６Ｄに記録されたデータの読み出しを制御する。なお、本実施の形態では、本願の情報提供方法を実現するためのコンピュータプログラムがハードディスク１０５Ｄに記憶されているものとしたが、光ディスク１０６Ｄに記録された状態で提供されるものであってもよい。
【００２１】
キーボード１０７は、情報提供者側（例えば、システム管理者、栄養士など）による操作及び文字入力を受付ける。ディスプレイ１０８は、情報提供者側に報知すべき情報を表示する。
【００２２】
なお、情報提供装置１０が通信ネットワーク５を介して遠隔操作が可能である場合には、光ディスクドライブ１０６、キーボード１０７、ディスプレイ１０８等が省略されていてもよい。
【００２３】
図３は情報提供装置１０の機能的構成を示す模式図である。情報提供装置１０は、記憶部１１、取得部１２、選択部１３、及び情報提供部１４を備える。
情報提供装置１０は、ＲＯＭ１０２又はハードディスク１０５Ｄに格納されたコンピュータプログラムをＣＰＵ１０１に実行させ、図２に示したハードウェア各部を制御することにより、記憶部１１、取得部１２、選択部１３、及び情報提供部１４による各機能を実現する。
【００２４】
記憶部１１は、情報提供を受けるユーザに提示する行動計画の情報を記憶する。後述するように、記憶部１１は、行動計画の種類、行動計画の属性、各行動について情報提供者側が想定している効果の情報等を記憶しておくための各種テーブル１１Ａ〜１１Ｅを備える。
【００２５】
取得部１２は、行動計画を作成するにあたり、必要な情報を通信ネットワーク５を通じてユーザの端末装置２０から取得する。例えば、生活習慣に関する質問に対するユーザの回答、行動計画の実施に対するユーザの自己評価、ユーザによって計測された効果等の情報を取得する。
【００２６】
選択部１３は、取得部１２で取得した情報に基づいて、ユーザに提供すべき行動計画の情報を選択する。例えば、情報提供対象の新規のユーザが存在する場合、このユーザに生活習慣に関する質問を行い、取得部１２で取得した回答を基にして、ユーザが実施すべき行動計画の情報を、記憶部１１に記憶してある行動計画の情報から選択する。
また、ユーザが行動計画に沿って行動を実施していると自覚しているにも関わらず、予め想定していた効果が得られていない場合、選択部１３は、効果が得られていない行動計画を、より効果が高く、変更前と同一の属性を有する行動計画に変更するために、記憶部１１から行動計画の情報を選択する。
【００２７】
情報提供部１４は、選択部１３で選択した行動計画の情報をユーザに提供する。具体的には、選択部１３で選択した行動計画の情報を、通信ネットワーク５を介して該当するユーザの端末装置２０へ送信する。
【００２８】
以下、情報提供装置１０が実行する処理内容について説明する。情報提供装置１０は情報提供対象の新規のユーザに対し、推奨する行動計画をユーザ毎に作成する。図４は行動計画の作成手順の概略を示すフローチャートである。ユーザの行動計画を新たに作成するために、情報提供装置１０は、生活習慣に関する質問のリストをユーザの端末装置２０へ送信する（ステップＳ１）。図５は生活習慣に関する質問の一例を示す図である。情報提供装置１０が送信する質問のリストには、図５に示すように、「朝食や昼食に野菜をほとんど食べません」、「食後でも好きなものを見ると、食べてしまいます」、「移動はほとんど車を使います」等の食生活及び運動に関する４０問程度の質問が含まれる。情報提供装置１０は、このような質問のリストを例えばスプレッドシート形式のデータとして用意しておき、通信ネットワーク５を通じてユーザの端末装置２０へ送信する。
【００２９】
ユーザは、端末装置２０にて受信した質問のリストに対して回答を行う。回答は、例えば、「まったくその通りだと思う」、「そう思う」、「あまり思わない」、「まったく思わない」の４段階で行う。端末装置２０は、ユーザによって記入された回答（スプレッドシート形式のデータ）を情報提供装置１０へ返信する。
【００３０】
情報提供装置１０は、端末装置２０から返信される回答を受信し（ステップＳ２）、その回答を基にユーザの生活習慣をタイプ別に分類する（ステップＳ３）。このとき、情報提供装置１０は、図６に一例を示すような栄養行動分類テーブル１１Ａ、図７に一例を示すような運動行動分類テーブル１１Ｂを用いて分類を行う。図６に示す栄養行動分類テーブル１１Ａは、食生活に関するタイプ別の分類と前述した質問に対するユーザの回答との対応付けを規定したテーブルである。情報提供装置１０は、ユーザの回答を集計し、栄養行動分類テーブル１１Ａの中で、該当する回答が多かったものをユーザのタイプとして分類する。運動の生活習慣に関しても同様であり、運動行動分類テーブル１１Ｂを利用して、複数のタイプに分類することができる。
【００３１】
例えば、「朝食や昼食に野菜をほとんど食べません」といった質問に対し、ユーザが「全くその通りだと思う」又は「そう思う」と回答した場合、ユーザの回答は「朝食または昼食に野菜を食べないことが多い」ということになる。ユーザの回答を集計した結果、「朝食や昼食に野菜を食べないことが多い」、「１週間に３回以上フライや天ぷらなど揚げ物を食べる」等の回答が多かった場合、そのユーザを、前記回答に対応付けて規定している「知識・認識不足・食嗜好問題型」に分類する。他の回答が多かった場合、同様に「早食い・大食い・不規則型」、「環境刺激反応型」、「ストレス解消・暇つぶし型」等のタイプに分類することができる。
【００３２】
次いで、情報提供装置１０は、分類した生活習慣のタイプ別に応じて行動計画を設定する（ステップＳ４）。ここで、行動計画とは、「１日５皿（１皿７０ｇ）を意識して野菜を食べる」、「食事は腹八分目で止める」、「歩数計をつけて、毎日の歩数を記録する」、「車なら自転車に、自転車なら徒歩に変える」といったように、それぞれのユーザが実施すべき個別具体的な行動の内容を表す。
初期設定では、それぞれのユーザに対して２０個程度の行動計画を設定する。このとき、情報提供装置１０は、ユーザの回答及び分類したタイプ別に応じて、予め規定してある行動計画の中から２０個程度の行動計画を選択する。
【００３３】
本実施の形態では、栄養行動分類テーブル１１Ａ及び運動行動分類テーブル１１Ｂの中で個別具体的な行動計画を規定している。例えば、「朝食または昼食に野菜を食べないことが多い」と回答したユーザに対して、「１日５皿（１皿７０ｇ）を意識して野菜を食べる」という行動計画、「野菜をたくさん入れた具たくさん汁物を食べる」という行動計画、又は「すぐに食べられる生野菜や茹で野菜を常備して朝食や昼食に食べる」という行動計画を提示できるように、それぞれの分類テーブル１１Ａ，１１Ｂは、ユーザの回答と提示すべき行動計画とを対応付けて記憶している。
それぞれの分類テーブル１１Ａ，１１Ｂは、１つの回答に対して複数の行動計画を対応付けて記憶している。情報提供装置１０は、分類したユーザのタイプ、回答のバランス等によって、全体としてユーザに提示する２０個程度の行動計画を選択する。
【００３４】
また、栄養行動分類テーブル１１Ａ及び運動行動分類テーブル１１Ｂにおいて、各行動計画に対し、情報提供者側が想定している効果（５段階の点数）を予め規定している。例えば、効果が「５点」の行動計画は、その行動計画に沿って行動を実施することにより高い効果が得られる行動計画を示し、逆に、効果が「１点」の行動計画は、得られる効果が低いものの、ユーザにとって実施しやすい行動計画を示している。
【００３５】
情報提供装置１０は、ユーザからの回答を基に２０個程度の行動計画を選択した場合、ユーザの端末装置２０へ設定した行動計画の情報を提供する（ステップＳ５）。情報提供装置１０が提供する行動計画の情報は、健康増進及び改善を目的として、ユーザに推奨する行動の内容を具体的定めたものである。ユーザには、提供された行動計画の情報に沿って行動することが期待される。
【００３６】
しかしながら、ユーザによっては、生活習慣に合わないために実施率が低かったり、体質に合わなかったりする場合がある為、想定していた効果が得られない可能性もある。
【００３７】
本実施の形態では、ユーザに行動計画の情報を提供してから一定期間（例えば、６ヶ月）が経過するまでの間に、行動計画の見直しを行う。このため、情報提供装置１０は、日々の行動計画に対するユーザの自己評価、及び行動によって得られた効果の計測結果を取得する（ステップＳ６）。自己評価は、通知された各行動計画に対する日々の進捗状況、（例えば、○（できた）、×（できなかった）、△（どちらでもない）の何れか）をユーザが回答することによって行う。また、効果については、行動の実施前後のＢＭＩ（ボディマス指数）の変化を計測する。ＢＭＩの変化に限らず、ユーザの健康状態を表す指数であって、食事面又は運動面の生活習慣の変化により、その値が変化する指標（例えば、体重、血圧値、尿酸値、コレステロール値等）であれば、どのような値を用いてもよい。
【００３８】
情報提供装置１０は、ユーザが自己評価及び効果の計測を行う都度、これらの結果を取得してもよく、定期的又は行動計画の見直しを行う際にまとめて取得する構成としてもよい。
また、本実施の形態では、ＢＭＩの変化をユーザ自身が計測する構成としたが、行動開始前のユーザの体重及び身長を情報提供装置１０に通知しておき、行動実施後にユーザによって計測される体重の情報を取得し、行動実施前後のＢＭＩの変化を情報提供装置１０が算出する構成としてもよい。
【００３９】
情報提供装置１０は、ユーザからの回答を基に、自己評価の入力率及び行動計画の達成率を算出する（ステップＳ７）。自己評価の入力率は、例えば、ユーザに通知した行動計画の中で進捗状況の入力が１項目でもあった日数を、ステップＳ１５で行動計画の情報を提供してからの経過日数で除算して算出する。また、達成率は、例えば、各行動計画に対する進捗状況の入力で、○（できた）と回答した個数を、各行動計画で進捗状況の入力があった日数で除算して算出する。
【００４０】
情報提供装置１０は、ユーザの入力率が５０％以上であるか否かを判断し（ステップＳ８）、入力率が５０％未満である場合（Ｓ８：ＮＯ）、入力を促すメールをユーザが使用するメールアドレス宛に送信する（ステップＳ９）。
【００４１】
ユーザの入力率が５０％以上である場合（Ｓ８：ＹＥＳ）、情報提供装置１０は、算出した達成率が８０％以上であるか否かを判断する（ステップＳ１０）。達成率が８０％以上である場合（Ｓ１０：ＹＥＳ）、情報提供装置１０は、後述する行動計画の再設定処理を行う（ステップＳ１１）。
行動計画の再設定処理では、ユーザが行動計画に沿って行動していると自覚しているにも関わらず、想定していた効果が得られていない場合において、事前に想定されていた効果が得られていない行動計画を、より効果が高く、変更前と類似の行動計画に変更する処理を行う。
【００４２】
なお、達成率が８０％未満である場合には（Ｓ１０：ＮＯ）、行動計画に沿って行動を実施するように励ましのメールを送信する処理（達成率が８０％未満かつ２０％以上の場合）、又は行動計画の自己評価時に×（できなかった）と回答した行動計画を、○（できた）、△（どちらでもない）と回答した行動計画に変更する処理（達成率が２０％以上の場合）を行う（ステップＳ１２）。
【００４３】
ステップＳ１１の再設定処理で行動計画を再設定した場合、情報提供装置１０は、再設定した行動計画の情報をユーザが使用する端末装置２０へ提供する（ステップＳ１３）。このとき、情報提供装置１０は、行動計画の情報を通信ネットワーク５を介して端末装置２０へ送信する。また、情報提供装置１０は、再設定した行動計画には試行期間（例えば、７日間）があることを通知すると共に、その試行期間中の自己評価の送信を依頼する。自己評価は、前述と同様、通知された各行動計画に対する日々の進捗状況をユーザが回答することによって行う。
【００４４】
次いで、情報提供装置１０は、ユーザによる自己評価を基に、行動計画の再設定処理を再度実行するか否かを判断する（ステップＳ１４）。自己評価を受信していない場合、又は自己評価が×（できなかった）との回答であった場合には、行動計画を再設定したもののユーザの生活習慣に合わない等の原因により、行動計画に沿った行動が全く実施されていない可能性があるため、行動計画の再設定処理を再度実行すると判断し（Ｓ１４：ＹＥＳ）、情報提供装置１０は、処理をステップＳ１１へ戻す。
【００４５】
一方、自己評価の結果が、○（できた）、△（どちらでもない）との回答であった場合、この時点での再設定は行わないと判断する（Ｓ１４：ＮＯ）。
【００４６】
次いで、情報提供装置１０は、予め定めている範囲内で最大の効果が得られたか否かを判断する（ステップＳ１５）。本実施の形態では、行動計画に沿った行動の実施による効果をＢＭＩにより計測しているため、行動を実施する前に計測したＢＭＩから、行動を実施した後に計測したＢＭＩを差し引いた値が、予め定められた値（例えば、１．１）を上回った場合、予め定めている範囲内で最大の効果が得られたと判断する。
【００４７】
最大の効果が得られていない場合には（Ｓ１５：ＮＯ）、情報提供装置１０は、処理をステップＳ６へ戻す。
また、最大の効果が得られた場合（Ｓ１５：ＹＥＳ）、本フローチャートによる処理を終了する。
【００４８】
次いで、行動計画の再設定処理について説明する。上述したように、行動計画の再設定処理では、事前に想定されていた効果が得られていない行動計画を、より効果が高く、変更前と類似の行動計画に変更する処理を行う。
本実施の形態では、変更前と類似の行動計画を抽出するために、複数の属性を用いて行動計画を予め区分している。
【００４９】
図８は行動計画の区分を説明する説明図である。まず、第１属性の属性値を用いて、該当する行動計画を、栄養行動（属性値：０）、又は運動行動（属性値：１）に区分する。
栄養行動に関して、更に、第２属性〜第５属性の属性値を用いて区分する。第２属性は、食事をする場所に関する区分であり、属性値０は家庭での食事、属性値１は外食を表す。第３属性は、頻度に関する区分であり、属性値０〜６は、１週間当たりの回数（１回〜７回）を表す。第４属性は、食事の時間帯に関する区分であり、属性値０は朝、属性値１は昼、属性値２は晩、属性値３は深夜（２１時以降）、属性値４は間食を表す。第５属性は、消費カロリーを表し、消費カロリーの値（例えば、１０ｋｃａｌ単位）を属性値としている。なお、栄養行動の第５属性は、食事をすることによって得られる摂取カロリーではなく、食事をすることによって抑えることができるカロリーを消費カロリーとして規定している。
運動行動に関しても同様であり、第２属性〜第５属性の属性値を用いて更に細分化を行っている。第２属性は運動をする場所に関する区分であり、属性値０はインドア、属性値１はアウトドアを表す。第３属性は、頻度に関する区分であり、属性値０〜６は、１週間当たりの回数（１回〜７回）を表す。第４属性は、有酸素運動及び無酸素運動に関する区分であり、属性値０は有酸素運動、属性値１は無酸素運動を表す。第５属性は、運動をすることによって消費する消費カロリーを表し、消費カロリーの値（例えば、１０ｋｃａｌ単位）を属性値としている。
【００５０】
情報提供装置１０は、上記の第１属性〜第５属性の属性値を用いて区分される各行動計画に関して、各属性値により特定される行動を識別する行動計画選定番号、第１属性〜第５属性の属性値、及び行動の実施による効果を関連付けて記憶するテーブル（行動区分テーブル１１Ｃ）を有する。なお、前記効果は、情報提供者側が想定している効果であり、例えば、効果の低い方から高い方へ１〜５の５段階の数値により表している。
【００５１】
図９は行動区分テーブル１１Ｃの一例を示す図である。例えば、行動計画選定番号が「０１０１」の行動は、第１属性〜第５属性の属性値が図９に示すように定められているため、家庭にて週３回の朝食を摂ることにより、１００ｋｃａｌ消費する行動であることを表す。また、この行動に対して、情報提供者側は、効果が「５」であること（効果が最も高いこと）を想定している。
他の行動計画選定番号が付された行動についても同様である。例えば、行動計画選定番号が「０３０１」の行動は、図９の第１属性〜第５属性の属性値を参照すれば、インドアにて週３回の有酸素運動を行うことにより、１００ｋｃａｌ消費する行動であることが分かる。
このように、行動区分テーブル１１Ｃでは、第１属性〜第５属性からの属性値を用いて様々な行動を規定し、それぞれの行動に対して想定する効果を定めている。
【００５２】
また、図９に示す行動区分テーブル１１Ｃにより規定する行動は、ユーザに提示する行動計画と所定の関係を有する。「１日５皿（１皿７０ｇ）を意識して野菜を食べる」という行動計画を例にとって説明する。
上記の行動計画は、栄養行動であるから、第１属性の属性値は０である。
また、家庭で野菜を食べてもよく、外食で野菜を食べてもよいので、第２属性の属性値は０及び１の双方をとる。
また、上記行動計画は、１週間に７回の行動を表しているため、第３属性の属性値は６である。
更に、上記行動計画は、深夜または間食として野菜を食べることを推奨するものではないので、第４属性の属性値は、３及び４以外の値（すなわち、０〜２）をとる。
消費カロリーについては、第２属性及び第４属性の値に応じて栄養管理士等が適宜の値を設定する。
【００５３】
以上により、「１日５皿（１皿７０ｇ）を意識して野菜を食べる」という１つの行動計画は、Ｘ１〜Ｘ６を適宜の消費カロリーの値として、「００６０Ｘ１」、「００６１Ｘ２」、「００６２Ｘ３」、「０１６０Ｘ４」、「０１６１Ｘ５」、「０１６２Ｘ６」という少なくとも６種類の属性で表される行動を意味する。Ｘ１〜Ｘ６の値を更に細かく規定すれば、６種類より多くの行動を規定することも可能である。これらの属性により表されるそれぞれの行動に対して行動計画選定番号を割り当てる。
情報提供装置１０は、図１０に一例を示すような各行動計画に対して複数の行動計画選定番号を対応付けて規定した行動計画選定テーブル１１Ｄを、記憶部１１に格納している。
【００５４】
情報提供装置１０は、行動計画の再設定時に上記行動区分テーブル１１Ｃを参照して類似の行動計画を抽出する。図１１は行動計画の再設定処理の処理手順を説明するフローチャートである。行動計画に対する自己評価の結果を受信し、自己評価の入力率が５０％以上、かつ行動計画の達成率が８０％以上である場合、以下で説明する再設定処理を行う。まず、情報提供装置１０は、初期設定により設定した２０個程度の行動計画から所定数（例えば、５個）の行動計画を選択する（ステップＳ１１０）。例えば、各行動計画に対して選択する際の優先順位を予め定めておき、情報提供装置１０が、この優先順位に従って所定数の行動計画を選択する。また、ユーザ自身による選択を受付けて、ユーザが変更したいと所望する行動計画を所定数だけ選択させる構成としてもよい。また、初期設定で設定した２０個程度の行動計画を全て選択する構成としてもよい。
【００５５】
次いで、情報提供装置１０は、選択した行動計画のそれぞれについて想定されている効果と、実際に得られた効果とを比較する（ステップＳ１１１）。ここで、選択した行動計画のそれぞれについて想定されている効果とは、図６に示す栄養行動分類テーブル１１Ａ又は図７に示す運動行動分類テーブル１１Ｂで規定している、情報提供者側が予め想定している効果である。また、実際に得られた効果は、行動前後のユーザのＢＭＩの変化の値そのものではなく、図１２に一例を示す効果テーブル１１Ｅで換算した値を用いる。図１２に示した効果テーブル１１Ｅの例では、行動前後のＢＭＩの減少幅が小さい程、効果の値を小さく設定し、行動前後のＢＭＩの減少幅が大きい程、効果の値を大きく設定している。ステップＳ１１１では、選択した行動計画のそれぞれについて想定されている効果の値と、効果テーブル１１Ｅで換算した効果の値とを比較する。
【００５６】
そして、情報提供装置１０は、実際に得られた効果が予め想定されていた効果より小さい行動計画について、より効果が高く、類似の行動計画を抽出する。予め想定されていた効果が得られていない行動計画が複数存在する場合には、それらの行動計画の中で、想定されている効果が最も小さい値を持つ行動計画を選択し、選択した行動計画について類似する行動計画を抽出する。
【００５７】
情報提供装置１０は、行動区分テーブル１１Ｃで規定されている属性値を利用して、類似の行動計画を抽出する。本実施の形態では、第１属性〜第５属性のうち、第１属性、第２属性、第４属性、第５属性の属性値が同一の行動計画を抽出する。
なお、どの属性値を用いて類似の行動計画を抽出するかについては、適宜設定することができる。
【００５８】
具体例を用いて類似の行動計画を抽出する手順について説明する。例えば、「１日に５皿（１皿７０ｇ）を意識して野菜を食べる」という行動計画を対象として、類似の行動計画を抽出する例を説明する。
対象の行動計画は、栄養行動に属するため、第１属性の属性値は０である。情報提供装置１０は、行動区分テーブル１１Ｃで規定している行動計画選定番号のうち、第１属性の属性値が０のものを選択する。
また、上記行動計画は、食事場所を限定していないので、第２属性の属性値は０及び１の双方を取り得る。情報提供装置１０は、第２属性の属性値が０及び１の双方の行動計画選定番号を選択する。
更に、上記行動計画は、深夜や間食として野菜を食べることを推奨するものではない。したがって、情報提供装置１０は、第４属性の属性値が３及び４以外の行動計画選定番号を選択する。
次いで、情報提供装置１０は、上記行動計画と同一の消費カロリーが記録されている行動計画選定番号を選択する。
【００５９】
上記では、栄養行動に属する行動計画を例にとり、同一の属性を有する行動計画選定番号を抽出する手順について説明したが、運動行動に属する行動計画についても、全く同様の手順にて、同一の属性を有する行動計画選定番号を抽出することができる。
【００６０】
以上のように、情報提供装置１０は、対象の行動計画の属性と同一の属性を有する行動計画選定番号を抽出する（ステップＳ１１２）。このとき、第１属性、第２属性、第４属性、第５属性の順に合致する行動計画選定番号を順次絞り込んでもよい。また、各属性値に合致する行動計画選定番号をそれぞれ選択し、その後に、それぞれで選択した行動計画選択番号の中から全てに含まれる行動計画選定番号のみを抽出してもよい。
【００６１】
そして、情報提供装置１０は、抽出した行動計画選定番号のうち、対象としている行動計画より効果の値が１つだけ大きい行動計画選定番号を選択する（ステップＳ１１３）。行動区分テーブル１１Ｃでは、それぞれの行動計画選定番号に対応付けて効果の値を記憶し、栄養行動分類テーブル１１Ａ及び運動行動分類テーブル１１Ｂでは、それぞれの行動計画に対応付けて効果の値を記憶している。情報提供装置１０は、これらのテーブルを参照し、変更前より効果の値が１つだけ大きくなる行動計画選定番号を選択する。
【００６２】
次いで、情報提供装置１０は、上述した行動計画選定テーブル１１Ｄを参照して、選択した行動計画選定番号に該当する行動計画を抽出する（ステップＳ１１４）。この時点で抽出した行動計画が１つのみである場合、その行動計画が再設定する行動計画となる。また、この時点で複数の行動計画を抽出した場合、抽出した行動計画の中から、ユーザに１つだけ行動計画を選択させ、再設定する行動計画を定める（ステップＳ１１５）。以上の手順で選択した行動計画は、変更前より効果が高く、変更前と類似（属性が同一）の行動計画となる。
【００６３】
情報提供装置１０は、再設定した行動計画の情報を、図４のフローチャートで示すステップＳ１１において、ユーザが使用する端末装置２０へ提供する。
【００６４】
以上のように、本実施の形態では、ユーザが行動計画に沿って行動を実施していると自覚しているにも関わらず、予め想定していた効果が得られていない場合、情報提供装置１０が、効果が得られていない行動計画を、より効果が高く、変更前と類似の行動計画に変更してユーザに情報提供を行う。したがって、本実施の形態では、ユーザの生活習慣や嗜好に見合う行動計画を設定するともに、設定した行動計画に沿ってユーザが行動を実施することにより、ＢＭＩの減少等の確実な効果が得られる。
【符号の説明】
【００６５】
５    通信ネットワーク
１０  情報提供装置
１１  記憶部
１１Ａ  栄養行動分類テーブル
１１Ｂ  運動行動分類テーブル
１１Ｃ  行動区分テーブル
１１Ｄ  行動計画選定テーブル
１１Ｅ  効果テーブル
１２  取得部
１３  選択部
１４  情報提供部
２０  端末装置
【図１】
0005685921.tif 000002
【図２】
0005685921.tif 000003
【図３】
0005685921.tif 000004
【図４】
0005685921.tif 000005
【図５】
0005685921.tif 000006
【図６】
0005685921.tif 000007
【図７】
0005685921.tif 000008
【図８】
0005685921.tif 000009
【図９】
0005685921.tif 000010
【図１０】
0005685921.tif 000011
【図１１】
0005685921.tif 000012
【図１２】
0005685921.tif 000013